(57)【要約】【課題】ユーザが操作を行うことなく、接続を意図しない端末装置が無線通信装置へ接続したままになるのを自動で防ぐ。【解決手段】塗布装置２は、無線接続を要求する端末装置３と無線接続を確立する接続確立部４５と、端末装置３と無線接続が確立されると、無線接続が確立された端末装置３に対して問い合わせを行い、問い合わせに対する端末装置３の応答に基づいて、無線接続がユーザが意図する接続であるか否かを判断する接続判断を行う接続判断部４６と、接続判断に基づいて、端末装置３との無線接続を維持または切断する接続制御部４７とを備える。【選択図】図４
2020178323.tif 000002
【特許請求の範囲】
【請求項１】
無線接続を要求する端末装置と前記無線接続を確立する接続確立手段と、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断手段と、
前記接続判断に基づいて、前記端末装置との前記無線接続を維持または切断する接続制御手段と、
を備える無線通信装置。
【請求項２】
前記接続判断手段は、前記無線接続が確立されている状態において、前記無線接続が切断されるまで、前記問い合わせを繰り返す、
請求項１に記載の無線通信装置。
【請求項３】
特定の機能を実行する機能実行手段を備え、
前記問い合わせは、前記端末装置が、前記機能実行手段に前記特定の機能を実行させるためのアプリケーションプログラムを起動していることを確認する信号である、
請求項１または２に記載の無線通信装置。
【請求項４】
特定の機能を実行する機能実行手段を備え、
前記問い合わせは、前記端末装置が、前記機能実行手段に前記特定の機能を実行させるためのアプリケーションプログラムを実行していることを確認する信号である、
請求項１または２に記載の無線通信装置。
【請求項５】
前記接続制御手段は、前記端末装置から前記応答がなければ、前記端末装置との前記無線接続を切断する、
請求項１〜４のいずれか１項に記載の無線通信装置。
【請求項６】
前記接続判断手段は、前記問い合わせを所定回数実行し、前記所定回数内に前記端末装置から応答がなければ前記無線接続がユーザが意図する接続でないと判断し、
前記接続制御手段は、前記端末装置との前記無線接続を切断する、
請求項１〜５のいずれか１項に記載の無線通信装置。
【請求項７】
前記接続確立手段は、前記接続制御手段により前記無線接続を切断された前記端末装置の再度の接続要求を所定時間拒否する、
請求項１〜６のいずれか１項に記載の無線通信装置。
【請求項８】
前記無線通信装置は、塗布装置である、
請求項１〜７のいずれか１項に記載の無線通信装置。
【請求項９】
互いに無線通信を行う無線通信装置と端末装置を備える無線通信システムであって、
前記無線通信装置は、
無線接続を要求する前記端末装置と前記無線接続を確立する接続確立手段と、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断手段と、
前記接続判断に基づいて、前記端末装置との前記無線接続を維持または切断する接続制御手段と、
を備え、
前記端末装置は、
前記無線通信装置に前記無線接続を要求する接続要求手段と、
前記無線通信装置からの前記問い合わせに対して応答する応答手段と、
を備える無線通信システム。
【請求項１０】
無線接続を要求する端末装置と前記無線接続を確立する接続確立ステップと、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断ステップと、
前記接続判断に基づいて、前記端末装置との前記無線接続を維持または切断する接続制御ステップと、
を備える無線通信方法。
【請求項１１】
コンピュータに、
無線接続を要求する端末装置と前記無線接続を確立する接続確立ステップ、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断ステップ、
前記接続判断に基づいて、前記端末装置との前記無線接続を維持または切断する接続制御ステップ、
を実行させるプログラム。
【発明の詳細な説明】
【技術分野】
【０００１】
本発明は、無線通信装置、無線通信システム、無線通信方法およびプログラムに関する。
【背景技術】
【０００２】
無線通信によってスマートフォン等の端末装置とデータのやり取りを行う無線通信機能が搭載されたプリンタ等の無線通信装置が存在する。
【０００３】
無線通信装置は、端末装置と接続を確立してから端末装置とデータのやり取りを行うが、無線通信装置が一度に接続できる端末装置の数は限られている。一方、端末装置によっては、一度接続した無線通信装置に自動で接続する機能を持っている。無線通信装置に接続したことがある端末装置が無線通信装置の近くに複数存在するとき、ユーザが接続を意図していない端末装置が無線通信装置に自動で接続してしまい、接続したい端末装置が無線通信装置に接続できないということが起きる。
【０００４】
特許文献１は、接続拒否リストによってユーザが接続を意図しない端末装置がプリンタに自動で接続することを防ぐ方法を開示している。接続台数が上限であるときに、新たな接続要求があると、ユーザは、接続を切断する端末装置を選択し、選択された端末装置について接続を切断するとともに、接続拒否リストに登録する。接続拒否リストに登録された端末は、接続拒否リストから削除されるまで、接続要求を拒否され、プリンタに再接続をすることができない。
【先行技術文献】
【特許文献】
【０００５】
【特許文献１】特開２０１７−１７５２９５号公報
【発明の概要】
【発明が解決しようとする課題】
【０００６】
しかし上記方法では、接続台数が上限である状態において、ユーザが接続を切断する端末装置を選択する操作を行うことが必要である。さらに、再接続を防止するために、ユーザが対象端末を接続拒否リストに登録する操作を行うことが必要である。
【０００７】
本発明は、上記に鑑みてなされたものであって、ユーザが操作を行うことなく、接続を意図しない端末装置が無線通信装置へ接続したままになるのを自動で防ぐことを目的とする。
【課題を解決するための手段】
【０００８】
本発明に係る無線通信装置は、
無線接続を要求する端末装置と無線接続を確立する接続確立手段と、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断手段と、
前記接続判断に基づいて、前記端末装置との前記無線接続を維持または切断する接続制御手段と、
を備える。
【０００９】
また、この発明の無線通信方法は、
無線接続を要求する端末装置と無線接続を確立する接続確立ステップと、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断ステップと、
前記接続判断に基づいて、前記端末装置との前記無線接続を維持または切断する接続制御ステップと、
を備える。
【００１０】
また、この発明のプログラムは、
コンピュータに、
無線接続を要求する端末装置と無線接続を確立する接続確立ステップ、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断ステップ、
前記接続判断に基づいて、前記端末装置との前記無線接続を維持または切断する接続制御ステップ、
を実行させる。
【発明の効果】
【００１１】
本発明によれば、ユーザが操作を行うことなく、接続を意図しない端末装置が無線通信装置へ接続したままになるのを自動で防ぐことができる。
【図面の簡単な説明】
【００１２】
【図１】本発明の実施の形態に係る無線通信システムの構成を示す図である。
【図２】（ａ）は、本発明の実施の形態に係る塗布装置の上面の外観構成を示す図、（ｂ）は、塗布装置の下面の外観構成を示す図である。
【図３】本発明の実施の形態に係る塗布装置のハードウェア構成図である。
【図４】本発明の実施の形態に係る塗布装置および端末装置の機能的構成図である。
【図５】本発明の実施の形態に係る接続処理の概略を説明する図である。
【図６】本発明の実施の形態に係る接続処理を示すフローチャートである。
【図７】本発明の実施の形態に係る接続確立および接続判断処理を示すフローチャートである。
【図８】本発明の実施の形態に係る応答処理を示すフローチャートである。
【図９】本発明の実施の形態に係る接続禁止端末リストを示す図である。
【図１０】本発明の実施の形態に係る端末装置と塗布装置の接続例を説明する図である。
【図１１】本発明の実施の形態に係る接続更新処理を示すフローチャートである。
【発明を実施するための形態】
【００１３】
（第１の実施の形態）
以下、本発明の実施の形態にかかる無線通信装置について図面を参照して説明する。
【００１４】
本実施の形態にかかる無線通信システム１は、図１に示すように、無線通信装置である塗布装置２と端末装置３が無線接続されている。
【００１５】
無線通信装置である塗布装置２は、無線ＬＡＮ（Local Area Network）、Ｂｌｕｅｔｏｏｔｈ（登録商標）等の無線通信を行うための無線通信モジュールを備えた塗布装置である。
【００１６】
塗布装置２は、塗布媒体Ｒ上における自装置の移動に合わせてインクを塗布することにより、塗布媒体Ｒに、文字、記号、図形、絵柄、模様等の塗布対象の画像を塗布することが可能な装置である。
【００１７】
塗布媒体Ｒは、例えば、印刷用紙、ラベル、段ボール等である。或いは、塗布媒体Ｒは、紙を材質とするものに限らず、プラスチック、金属、木材等であってもよいし、人間や動物等の皮膚（肌）、タイヤ、チューブ等のゴム、或いは布、皮等の繊維のような、表面に圧力を加えると変形する弾力性を有する材質であってもよい。インクを付着させることができるものであれば、どのような材質のものであってもよい。
【００１８】
また、塗布装置２は、塗布面上に所望の色を塗る装置であっても良い。例えば塗布媒体Ｒ上における汚れ、染み等の上からインクを塗布することで、汚れ、染み等を所望の色のインクで覆い隠すためのものであっても良い。
【００１９】
塗布装置２は、ハンドヘルドプリンタ、ダイレクトプリンタ、ハンディプリンタ等と称され、ユーザが手で把持しやすい大きさを有し、ユーザにより副走査方向に走査されて、インクを塗布し、画像を塗布媒体Ｒ上に形成するものである。
【００２０】
端末装置３は、例えば、ディスプレイを備えるスマートフォン、タブレットＰＣ（Personal Computer）から構成される。
【００２１】
端末装置３は、無線ＬＡＮ、Ｂｌｕｅｔｏｏｔｈ（登録商標）等の無線通信を行うための無線通信モジュールを備え、無線通信装置である塗布装置２と無線接続して通信が可能である。
【００２２】
端末装置３は、塗布装置２に塗布を実行させるための専用の塗布アプリケーションプログラムをインストールしている。この専用アプリケーションを通じて塗布したい画像データを塗布装置２に無線送信することによって、送信された画像データが塗布装置２により塗布される。このアプリケーションプログラムは、ベンダーからインターネットを通じて配信、あるいはＣＤ−ＲＯＭ（Compact Disc Read Only Memory）、ＤＶＤ−ＲＯＭ（Digital Versatile Disc Read Only Memory）等を通じて配布されており、ユーザは、これらの手段によりアプリケーションプログラムを入手する。あるいは、アプリケーションプログラムは端末装置３に予めインストールされている。
【００２３】
このように、塗布装置２と端末装置３とは、無線回線を通じて相互に通信可能に構成される。無線ＬＡＮにおける無線通信の接続形態は、アクセスポイントの使用の有無で２つのモードに大別できる。１つは、無線端末を相互に接続する無線機であるアクセスポイントを介して接続するモードであり、例えばＷｉ−Ｆｉ規格におけるインフラストラクチャー・モードが該当する。もう１つは、アクセスポイントを介さないで端末同士が直接通信するモードであり、例えばＰ２Ｐ（Peer To Peer）方式で端末間を接続するＷｉ−Ｆｉ規格におけるアドホック・モードが該当する。また、アドホック・モードを改良したものとして、ソフトウェアアクセスポイントによって端末にアクセスポイントの機能をもたせて端末同士が直接通信を行うＷＦＤ（Wi-Fi Direct）方式が存在する。本実施の形態において、無線通信の接続形態は、塗布装置２がインフラストラクチャー・モードのアクセスポイントまたはステーション動作する方式とするが、ＷＦＤ、Ｂｌｕｅｔｏｏｔｈ（登録商標）等の端末同士が直接通信する方式も含みうる。
【００２４】
塗布装置２の上面には、図２（ａ）に示すように、塗布開始スイッチ２１、表示器２２、操作キー２３、ＬＥＤ（Light Emitting Diode）２４が設けられている。
【００２５】
塗布開始スイッチ２１は、ユーザにより操作され、塗布を開始することを指示するスイッチである。表示器２２は、無線接続の設定情報、塗布対象の画像、書式設定、各種ガイダンス等の情報を表示する。操作キー２３は、ユーザにより操作され、無線接続、塗布書式を設定するキーを含む。ＬＥＤ２４は、塗布開始位置に到達したこと、塗布が終了したこと等を発光してユーザに報知する。
【００２６】
塗布装置２の下面には、図２（ｂ）に示すように、塗布装置２の位置を検出する光学センサ２５とインクヘッド２６が設けられている。
【００２７】
光学センサ２５は、インクヘッド２６に近接して配置されている。光学センサ２５は、光学マウスと同様の構造を有し、主走査方向および副走査方向における移動量を検出する。
【００２８】
インクヘッド２６は、インクジェット方式のヘッドであり、主走査方向に並んで配置された複数のインクノズル２７を備える。インクヘッド２６は、インクノズル２７からインクを選択的に吐出して塗布媒体Ｒ上に画像を形成する。
【００２９】
塗布装置２は、図３に示すように、ハードウェア的に、装置全体を制御する中央制御回路３１と、不揮発性の記憶回路であるＲＯＭ（Read Only Memory）３２と、揮発性の記憶回路であるＲＡＭ（Random Access Memory）３３と、インクヘッド２６を制御するインクヘッド制御回路３４と、外部機器と無線通信を行う無線通信モジュール３５と、操作キー２３による入力、ＬＥＤ２４への出力を制御する入出力制御回路３６と、光学センサ２５を制御するセンサ制御回路３７と、電源回路３８と、バッテリ３９と、を備える。
【００３０】
中央制御回路３１は、プロセッサを備え、バスを通じて各回路と接続されており、ＲＯＭ３２に記憶されている制御プログラムを実行することにより、各種機能を実現して装置全体を制御する。
【００３１】
ＲＯＭ３２は、中央制御回路３１が各種機能を実現するための制御プログラム３２１、各種固定データを記憶している。ＲＡＭ３３は、中央制御回路３１の作業領域として機能する。中央制御回路３１は、ＲＡＭ３３に一時的に保存された塗布データ３３１、塗布位置情報３３２等の各種データを読み出して各種処理を実行する。塗布データ３３１は、塗布すべき画像を示す画像データであり、無線接続された端末装置３から送信されて、無線通信モジュール３５を通じて受信され、中央制御回路３１を通じてＲＡＭ３３に記憶される。塗布位置情報３３２は、塗布媒体Ｒ上におけるインクヘッド２６の位置を示す情報であり、光学センサ２５によって検出された移動距離によってセンサ制御回路３７で求められ、中央制御回路３１を通じてＲＡＭ３３に記憶される。
【００３２】
無線通信モジュール３５は、無線ＬＡＮ（Local Area Network）、Ｂｌｕｅｔｏｏｔｈ（登録商標）等を介して端末装置３と通信を行うインタフェースを備え、図示しないアンテナを介して端末装置３と無線通信を行う。ユーザは、端末装置３から無線通信モジュール３５を介して塗布データ等を塗布装置２に送信する。
【００３３】
入出力制御回路３６は、操作キー２３から入力された信号をデータに変換して中央制御回路３１に送信するとともに、中央制御回路３１からの制御信号に基づいてＬＥＤ２４の点灯を制御する。ＬＥＤ２４は、塗布開始位置に達したこと、塗布が終了したこと等を発光によってユーザに報知する。
【００３４】
センサ制御回路３７は、前述した光学センサ２５を制御し、主走査方向及び副走査方向における塗布装置２の走査量、即ち、移動距離を検出する。
【００３５】
インクヘッド制御回路３４は、インクヘッド２６の動作を制御し、任意の塗布データを塗布する。インクヘッド制御回路３４は、塗布時におけるインクヘッド２６からのインクの吐出を制御する。インクヘッド制御回路３４は、中央制御回路３１から出力された塗布データと塗布信号とを受け取って、内部に設けられたドライバＩＣ（Integrated Circuit）にて、インクヘッド２６の通電ドットを制御する。これにより、インクヘッド制御回路３４は、インクヘッド２６にインクを吐出させ、塗布を実行させる。
【００３６】
電源回路３８は、電源ＩＣ等を備え、バッテリ３９から各回路に必要な電源を作り出して供給する。また電源回路３８は、バッテリ３９を充電する。
【００３７】
図４に、本無線通信システム１を構成する塗布装置２および端末装置３の機能的構成を示す。
【００３８】
無線通信装置である塗布装置２は、無線通信モジュール３５と接続された制御部４１と、塗布部４２と、を備える。
【００３９】
制御部４１は、図３の中央制御回路３１、ＲＯＭ３２、ＲＡＭ３３で構成され、装置全体を制御する。制御部４１は、無線通信制御部４３と、塗布制御部４４と、を備える。
【００４０】
無線通信制御部４３は、無線通信モジュール３５を制御して端末装置３と無線通信を行う。また、無線通信制御部４３は、ＲＯＭ３２、ＲＡＭ３３に記憶された、例えばＷｉ−Ｆｉ接続用のＩＤ、パスワード等の設定情報に基づいて端末装置３との接続および切断を制御する。
【００４１】
塗布制御部４４は、インクヘッド２６、インクヘッド制御回路３４で構成される塗布部４２を端末装置３から送られてくる塗布データにしたがって制御して塗布媒体Ｒ上に画像を形成する。塗布制御部４４および塗布部４２は、本発明の機能実行手段として機能する。
【００４２】
無線通信制御部４３は、ＲＯＭ３２に記憶されている制御プログラムを実行することにより、図４に示すように、接続確立部４５、接続判断部４６、接続制御部４７として機能する。
【００４３】
接続確立部４５は、無線通信モジュール３５を制御し、端末装置３からの無線接続要求に対して無線接続を確立する。無線通信制御部４３は、確立した通信路上で端末装置３から塗布データを受信する。接続確立部４５は、本発明の接続確立手段として機能する。
【００４４】
接続判断部４６は、無線接続が確立された端末装置３に対して問い合わせ信号を送信し、問い合わせに対する端末装置３の応答に基づいて、端末装置３との間で確立された無線接続はユーザが意図する接続であったのか否か、すなわち必要な接続か不要な接続かを判断する。接続判断部４６は、本発明の接続判断手段として機能する。また、接続判断部４６は、確立された無線接続はユーザが意図する接続でない（不要な接続である）と判断された場合に、後述する接続禁止端末リストに端末装置３のＭＡＣ（Media Access Control）アドレス、接続禁止開始時刻、接続禁止期間を書き込む。
【００４５】
接続制御部４７は、端末装置３からの応答に基づいた接続判断部４６の判断に従い、端末装置３との無線接続を切断するかあるいは接続を維持する。接続制御部４７は、本発明の接続制御手段として機能する。
【００４６】
端末装置３は、無線ＬＡＮのインタフェースである無線通信モジュール５１と、装置全体を制御する制御部５２と、を備える。制御部５２は、図示しないＣＰＵ（Central Processing Unit）、ＲＯＭ、ＲＡＭで構成される。
【００４７】
制御部５２は、無線通信制御部５３を備える。無線通信制御部５３は、無線通信モジュール５１を制御して塗布装置２と無線通信を行う。
【００４８】
無線通信モジュール５１は、図示しないアンテナから無線通信装置である塗布装置２に対して無線信号を送信するとともに、塗布装置２からの無線信号を受信する。
【００４９】
無線通信制御部５３は、塗布装置２に無線接続を要求する接続要求部５４と、塗布装置２からの問い合わせに対して応答する応答部５５と、を備える。
【００５０】
接続要求部５４は、ＲＯＭあるいはＲＡＭに記憶された、例えばＷｉ−Ｆｉ接続用のＩＤ、パスワード等の設定情報にしたがって塗布装置２に無線接続を要求する。接続要求部５４は、本発明の接続要求手段として機能する。
【００５１】
応答部５５は、ＲＯＭあるいはＲＡＭに記憶された塗布装置２の塗布機能を機能させる専用の塗布アプリケーションプログラムに基づいて、塗布装置２からの無線接続がユーザの意図する接続であったのか否かを判断するための問い合わせに対して、ユーザの意図する接続であった場合に応答信号を送出する。応答部５５は、本発明の応答手段として機能する。
【００５２】
図５は、本無線通信システム１における接続処理について端末装置３と塗布装置２の間の相互のやりとりを概略的に示す。
【００５３】
端末装置３は、塗布装置２に対して接続要求を行い、端末装置３と塗布装置２との間で無線接続を確立する接続確立処理を行う（Ｔ１）。塗布装置２は、接続確立した端末装置３に対して接続がユーザが意図するものか否かを判断するための問い合わせを行う（Ｔ２）。端末装置３は、塗布装置２からの問い合わせに対して応答処理を行う（Ｔ３）。塗布装置２は、端末装置３からの応答に基づいて、ユーザが意図する接続であるか否か判断して、端末装置３との接続を維持または切断する接続制御を行う。
【００５４】
続いて接続処理について詳細に説明する。図６は、塗布装置２における端末装置３との接続処理の流れを示す。
【００５５】
外部装置である端末装置３は、通信相手である塗布装置２と無線接続を行う前に、塗布装置２を探索する探索信号を送信する。塗布装置２は探索信号を受信すると、応答信号を端末装置３に送信する。塗布装置２からの応答信号を受信することにより、端末装置３は通信相手である塗布装置２を検出する。塗布装置２が検出されたら、端末装置３は、塗布装置２と無線接続を確立するために、接続要求信号を送信する。塗布装置２は、外部装置から無線接続を要求する接続要求信号を受信したか否かを判断する（ステップＳ１０１）。塗布装置２は外部装置である端末装置３からの接続要求信号を受信すると（ステップＳ１０１：Ｙｅｓ）、端末装置３に対して接続確立処理を実行し、端末装置３と無線接続を確立する（ステップＳ１０２）。無線接続が確立されると、塗布装置２は端末装置３に対して接続判断処理を実行する（ステップＳ１０３）。一方、塗布装置２が端末装置３から接続要求信号を受信しない場合（ステップＳ１０１：Ｎｏ）、受信するまでステップＳ１０１の処理を繰り返して待機する。
【００５６】
（接続確立処理）
図７は、塗布装置２における接続確立および接続判断処理を示す。図７のステップＳ２０１〜Ｓ２０４が接続確立処理に該当し、ステップＳ２０５以降が接続判断処理に該当する。
【００５７】
塗布装置２は、接続要求信号を受信すると、現在塗布装置２に無線接続されている機器の数が上限値であるか否か判断する（ステップＳ２０１）。無線ＬＡＮにおいて同時接続可能な機器の台数は限られている。ＷＦＤ接続の場合、複数の台数を接続可能であるが、一般に普及しているＷＦＤ接続対応機器の場合、接続可能台数は１台である。
【００５８】
接続台数が上限値であれば（ステップＳ２０１：Ｙｅｓ）、端末装置３からの無線接続要求を拒否する通知を端末装置３に送信し（ステップＳ２０３）、処理を終了する。すなわち、塗布装置２がいずれかの機器と接続されていれば、新たな端末装置３からの接続要求に対して接続を拒否する。端末装置３が接続を拒否されることによって、塗布装置２との接続を必要とする現在接続中の機器の接続が維持される。
【００５９】
接続台数が上限値に達していなければ（ステップＳ２０１：Ｎｏ）、後述する接続禁止端末リストを参照して接続禁止されている端末装置であるか否か判断される（ステップＳ２０２）。接続禁止となっている端末装置の情報は接続禁止端末リストによって管理されている。
【００６０】
端末装置３が接続禁止端末リストに掲載された端末装置に該当する場合（ステップＳ２０２：Ｙｅｓ）、塗布装置２は端末装置３からの無線接続要求を拒否する通知を端末装置３に送信し（ステップＳ２０３）、処理を終了する。接続要求を拒否された端末装置３は、塗布装置２と無線接続されない。
【００６１】
端末装置３が接続禁止端末リストに掲載された端末装置に該当しない場合（ステップＳ２０２：Ｎｏ）、塗布装置２は、端末装置３からの接続要求に対して接続認証を行い、端末装置３に対して接続許可を送信することによって端末装置３との接続を確立する（ステップＳ２０４）。
【００６２】
（接続判断処理）
端末装置３との接続が確立されると、続いてこの新たな接続に対して接続判断処理がステップＳ２０５から実行される。塗布装置２は、端末装置３に対して問い合わせ信号を送信する（ステップＳ２０５）。この信号は、新たな接続が、ユーザが接続を意図していない不要な接続でないかを判断するための問い合わせ信号である。ユーザが意図する接続であることの確認は、端末装置３にインストールされている専用の塗布アプリケーションが起動しているか否かによって判断する。
【００６３】
例えば無線ＬＡＮの場合、問い合わせ信号として、専用の塗布アプリケーションに割り当てられている特定の宛先ポートへＵＤＰ（Use Datagram Protocol）パケットデータ等を送信する。問い合わせ信号のデータは、暗号化されており、専用アプリケーションでないと内容を解読できない。問い合わせ信号のデータは、このデータを受信したら専用アプリケーションが起動している旨の応答をすることを要求するデータである。
【００６４】
塗布装置２は、端末装置３に送信した問い合わせに対して端末装置３から応答があるか否かを確認する（ステップＳ２０６）。
【００６５】
（応答処理）
図８に端末装置３からの応答処理を示す。この処理は端末装置３内の専用アプリケーションで行う。専用アプリケーションは、塗布装置２から問い合わせ信号が送信された否かを判断する（ステップＳ３０１）。専用アプリケーションは、塗布装置２から専用アプリケーションのポートへ送信されてきたデータを解読して問い合わせである旨を判断する。
【００６６】
専用アプリケーションは、塗布装置２から問い合わせ信号の送信があったと判断すると（ステップＳ３０１：Ｙｅｓ）、塗布装置２に応答を送信する（ステップＳ３０２）。例えば無線ＬＡＮの場合、応答として、特定の宛先ポートへのＴＣＰ（Transmission Control Protocol）パケットデータ等を用いる。
【００６７】
専用アプリケーションは、塗布装置２から問い合わせがない場合（ステップＳ３０１：Ｎｏ）、問い合わせがあるまでステップＳ３０１の処理を繰り返す。
【００６８】
端末装置３内で専用アプリケーションが起動されていないときには、この応答処理は実行されず、塗布装置２への応答は送信されない。後述する接続更新処理でも同様の応答処理が必要であるので、専用アプリケーションを起動している状態において端末装置３は常に塗布装置２へ応答を返せるようにしておく。
【００６９】
図７に戻って、問い合わせに対して端末装置３から応答があれば（ステップＳ２０６：Ｙｅｓ）、確立された無線接続がユーザが意図する接続であると判断し、端末装置３との無線接続を維持したまま（ステップＳ２０８）、処理を終了する。
【００７０】
問い合わせに対して端末装置３から応答があることは、端末装置３に専用アプリケーションがインストールされており、さらに専用アプリケーションが起動している状態であることを示している。
【００７１】
これに対して問い合わせに対して端末装置３から応答がないことは、端末装置３に専用アプリケーションがインストールされていない状態を示している。あるいは、端末装置３に専用アプリケーションがインストールされているが、専用アプリケーションが起動していない状態を示している。
【００７２】
専用アプリケーションがインストールされていない状態において、端末装置３は塗布装置２に対して塗布を実行させることができない。この場合、ユーザが意図して端末装置３を塗布装置２に接続したとは考えられず、端末装置３は塗布装置２に自動接続したと考えられる。したがって、端末装置３と塗布装置２の接続は、ユーザが意図しない不要な接続であると判断される。また、専用アプリケーションが起動していない状態においても、端末装置３は塗布装置２に対して塗布を実行させることができない。端末装置３が専用アプリケーションを実行して塗布を行わせるためには、その前提としてアプリケーションを起動していなければならない。したがって、専用アプリケーションが起動していない状態である場合、端末装置３と塗布装置２の接続は、ユーザが意図しない不要な接続であると判断される。
【００７３】
問い合わせに対して端末装置３から応答がない場合（ステップＳ２０６：Ｎｏ）、その端末装置３に対する問い合わせのリトライ回数が所定の回数Ｎ（Ｎは１以上の整数）に達しているか否か確認される（ステップＳ２０７）。
【００７４】
問い合わせのリトライ回数がＮ回に達していない場合（ステップＳ２０７：Ｎｏ）、問い合わせのリトライ回数を１だけインクリメントし、ステップＳ２０５に戻って再度問い合わせ信号を送信する。そして再度、問い合わせに対して端末装置３から応答があるか否かを確認する（ステップＳ２０６）。端末装置３から応答がない場合（ステップＳ２０６：Ｎｏ）、リトライ回数がＮ回に達したか否か確認が行われ（ステップＳ２０７）、リトライ回数がＮ回に達していない場合（ステップＳ２０７：Ｎｏ）、リトライ回数がさらに１だけインクリメントされる。以後、リトライ回数がＮ回に達するまでの間、端末装置３から応答があるまで、ステップＳ２０５からステップＳ２０７の処理が繰り返される。
【００７５】
端末装置３からの応答がなく、リトライ回数がＮ回に達した場合（ステップＳ２０７：Ｙｅｓ）、確立された無線接続がユーザが意図する接続でないと判断し、塗布装置２は端末装置３との接続を切断する（ステップＳ２０９）。なお、問い合わせ信号を送信してから所定期間内に端末装置３から応答があるか否か判断し、所定期間内に応答がなければ端末装置３との接続を切断し、応答があれば接続を維持するようにしてもよい。このように、応答の検出を慎重に行うことにより、判断の誤りを防ぐ。本来必要な接続であるにもかかわらず応答が検出されなかったことによりすぐに不要な接続であると判断して接続の切断を行うと、その間に行われていた塗布データの送信が途中で中断することもあり得ることから、判断は慎重に行われる。接続が切断されると、接続を切断された端末装置３が塗布装置２と再接続することを一定期間禁止し（ステップＳ２１０）、処理を終了する。再接続を一定期間禁止することは、具体的には、接続を切断した端末装置３の情報を接続禁止端末リストに登録することによって達成される。
【００７６】
（接続禁止端末リスト）
図９に接続禁止端末リストの構成の一例を示す。接続禁止端末リストは、塗布装置２との接続が禁止されている端末装置３のリストであり、塗布装置２は接続禁止端末リストを使って、接続禁止の端末装置３の識別と管理を行う。この接続禁止端末リストは、塗布装置２のＲＡＭ３３、ＲＯＭ３２等にデータとして保存される。
【００７７】
図９の例では、端末装置３を識別するＩＤとしてＭＡＣアドレスを用いている。なお、ＭＡＣアドレスに限らず、端末装置３を一意に識別することができるものであれば、識別ＩＤとして用いてもよい。接続禁止端末リストは、端末装置３が接続禁止となった接続禁止開始時刻と接続禁止期間を保持しており、これらの情報を用いて各端末装置が接続禁止になっているかどうかの判定を行う。
【００７８】
接続禁止端末リストへの登録は、上述したように、端末装置３が接続された際に塗布装置２から実行される所定回数の無線接続の確認に対して応答がなかった場合に行われる。
【００７９】
また、後述する接続更新処理において、端末装置３が塗布装置２に接続されている限り、接続判断処理は定期的に行われ、その都度、応答がなかった端末装置３は接続端末リストに登録される。
【００８０】
接続禁止端末リストへの登録は、端末装置を識別するＭＡＣアドレスと、再接続を禁止する接続禁止時刻と接続を禁止する期間を記録することによって行われる。接続禁止開始時刻として接続禁止端末リストに登録が行われた時刻が記録される。また、接続禁止期間として所定の期間が記録される。接続禁止端末リストに登録された端末装置３は、接続禁止開始時刻から接続禁止期間を経過する間、塗布装置２への再接続が禁止される。図９の例では、接続禁止期間は１０秒間に設定されている。したがって、端末装置３からの自動的な接続要求が繰り返されたとしても、１０秒間は再接続が拒否され、ユーザが意図しない接続が繰り返されることがない。
【００８１】
接続禁止期間はユーザが任意に設定可能である。接続禁止期間が短いとすぐに再接続が可能となってしまい、ユーザが意図しない接続を効果的に排除することができない。しかしながら、あまり長い期間に設定すると、ユーザが接続を意図している場合でも接続できないといった不具合が生じ得る。したがって、接続禁止期間は、ユーザが意図する接続を排除しない程度にユーザが意図しない接続を効果的に排除することができる範囲に設定される。ユーザは接続禁止期間を一律に設定するのではなく、端末装置の種類に応じて、あるいは個々の端末装置に応じて接続禁止期間を変えて設定してもよい。また、接続禁止回数によって接続禁止期間を変えるようにしてもよい。例えば、接続禁止回数が増えるごとに接続禁止期間を長くする。また、接続禁止期間解除後にすぐに接続禁止となった場合、次の接続禁止期間を前回より長く設定するよう変更してもよい。
【００８２】
図１０は、端末装置３Ａと端末装置３Ｂが続けて塗布装置２に接続を要求する場合の端末装置と塗布装置の接続例を示している。塗布装置２の最大無線接続台数は１台であり、いずれの機器とも接続されていない状態であるとする。最初に端末装置３Ａが塗布装置２に接続要求を行い、塗布装置２はいずれの機器とも接続されていないことから接続が確立する（Ｔ１１）。端末装置３Ａと塗布装置２の接続が確立すると、塗布装置２は端末装置３Ａに対して接続判断のための問い合わせを行う（Ｔ１２）。ここで、端末装置３Ａは専用の塗布アプリケーションを起動していないとする。専用の塗布アプリケーションが起動されていないと、応答のデータが端末装置３Ａから塗布装置２に送信されない（Ｔ１３）。塗布装置２は端末装置３Ａから応答がないため、ユーザが意図する接続でないと判断し、自動で端末装置３Ａとの接続を切断する（Ｔ１４）。次に端末装置３Ｂが塗布装置２に接続を要求し、端末装置３Ｂと塗布装置２の接続が確立する（Ｔ１５）。端末装置３Ｂと塗布装置２の接続が確立すると、塗布装置２は端末装置３Ｂに対して接続判断のための問い合わせを行う（Ｔ１６）。ここで、端末装置３Ｂは専用の塗布アプリケーションを起動しているので、応答のデータが端末装置３Ｂから塗布装置２に送信される。塗布装置２は端末装置３Ｂから応答を受信すると（Ｔ１７）、ユーザが意図する接続であると判断し、無線接続を維持する。
【００８３】
図６に戻って、接続判断処理（ステップＳ１０３）が終了すると、接続判断処理において接続が維持されているか否か判断される（ステップＳ１０４）。接続判断処理において、接続が切断されて終了した場合、接続数が上限に達していることにより、あるいは接続禁止リストに登録されていることにより接続要求が拒否されて終了した場合、新たな接続は維持されていない。したがって、これらの場合、接続は維持されていないと判断され（ステップＳ１０４：Ｎｏ）、ステップＳ１０１に戻り、新たな接続要求があるまで待機する。接続判断処理において、接続が維持されて終了した場合、接続は維持されていると判断され（ステップＳ１０４：Ｙｅｓ）、続いて所定時間（例えば、１分）が経過したか判断される（ステップＳ１０５）。所定時間が経過しない場合（ステップＳ１０５：Ｎｏ）、所定時間が経過するまで次の処理への移行が待機される。所定時間が経過すると（ステップＳ１０５：Ｙｅｓ）、接続更新処理（ステップＳ１０６）に移行する。
【００８４】
（接続更新処理）
端末装置３は、一旦塗布装置２と接続されると、塗布装置２の通信可能範囲を越えた位置まで離れるか、端末装置３の電源をＯＦＦするか、塗布装置２との接続を強制的に切断しない限り接続されている。したがって、塗布が終了し、専用アプリケーションの実行を終了した場合であっても、端末装置３と塗布装置２の接続状態は維持される。この不必要な接続状態を解除するために、接続更新処理が行われる。
【００８５】
図１１に接続更新処理を示す。接続更新処理において、まず、接続が確立されている端末装置３に対して問い合わせ信号を送信する（ステップＳ４０１）。このときの問い合わせ信号は、図７の接続判断処理における問い合わせ信号と同様である。例えば無線ＬＡＮの場合、問い合わせ信号として、専用アプリケーションに割り当てられている特定の宛先ポートへＵＤＰパケットデータ等を送信する。問い合わせ信号のデータは、暗号化されており、専用アプリケーションでないと内容を解読できない。問い合わせ信号のデータは、このデータを受信したら専用アプリケーションが実行されている旨の応答をすることを要求するデータである。
【００８６】
塗布装置２は、端末装置３から問い合わせに対する応答があるか否か確認する（ステップＳ４０２）。ここで、端末装置３内の専用アプリケーションが動作中であれば、専用アプリケーションが問い合わせ信号に対して応答信号を塗布装置２に対して送信する。塗布装置２は、端末装置３からの応答を確認すると（ステップＳ４０２：Ｙｅｓ）、端末装置３は塗布処理を実行中あるいは実行を準備していると判断して、無線接続を維持し（ステップＳ４０４）、接続更新処理を終了する。
【００８７】
端末装置３から応答がない場合（ステップＳ４０２：Ｎｏ）、その端末装置３に対する問い合わせのリトライ回数が所定の回数Ｎ（Ｎは１以上の整数）に達しているか否か確認される（ステップＳ４０３）。
【００８８】
問い合わせ信号の送信のリトライ回数がＮ回に達していない場合（ステップＳ４０３：Ｎｏ）、問い合わせのリトライ回数を１だけインクリメントし、ステップＳ４０１に戻って再度接続を確認する。そして再度、問い合わせに対して端末装置３から応答があるか否かを確認する（ステップＳ４０２）。端末装置３から応答がない場合（ステップＳ４０２：Ｎｏ）、リトライ回数がＮ回に達したか否か確認が行われ（ステップＳ４０３）、リトライ回数がＮ回に達していない場合（ステップＳ４０３：Ｎｏ）、リトライ回数がさらに１だけインクリメントされる。以後、リトライ回数がＮ回に達するまでの間に端末装置３から応答があるまで、ステップＳ４０１からステップＳ４０３の処理が繰り返される。
【００８９】
端末装置３からの応答がなく、リトライ回数がＮ回に達した場合（ステップＳ４０３：Ｙｅｓ）、確立された無線接続がユーザが意図する接続でないと判断し、塗布装置２は端末装置３との接続を切断する（ステップＳ４０５）。そして接続を切断された端末装置３が塗布装置２と再接続することを一定期間禁止する（ステップＳ４０６）。再接続の禁止処理は、図９に示した接続禁止端末リストに、端末装置３のＭＡＣアドレス、接続禁止開始時刻、接続禁止期間を書き込むことにより実行する。接続禁止端末リストへの書き込みが終了すると接続更新処理を終了する。これにより、接続中の端末装置３内で専用アプリケーションを終了したときに自動で端末装置３との無線接続を切断することができる。
【００９０】
図６に戻り、接続更新処理（ステップＳ１０６）が終了すると、接続が切断されているか否か判断される（ステップＳ１０７）。接続更新処理において、接続が切断されて終了した場合、接続は切断されていると判断され（ステップＳ１０７：Ｙｅｓ）、ステップＳ１０１に戻り、新たな接続要求があるまで待機する。接続更新処理において、接続が維持されて終了した場合、接続は切断されていないと判断され（ステップＳ１０７：Ｎｏ）、ステップＳ１０５に戻り、所定時間が経過するまで待機する。所定時間が経過すると（ステップＳ１０５：Ｙｅｓ）、再び接続更新処理（ステップＳ１０６）に移行する。以上のように、接続が切断されるまで、接続更新処理が繰り返されることから、塗布処理が終了し、端末装置３が塗布装置２との接続を必要としなくなった場合、速やかに接続の切断が行われる。よって、ユーザが意図しない接続が排除され、接続を必要とする端末装置が速やかに塗布装置３と接続することができる。なお、所定時間は、ユーザが任意に設定可能である。例えば、ユーザが意図しない接続をより速やかに排除したい場合、所定時間を短く設定してもよい。
【００９１】
本実施の形態において、端末装置３と新たな無線接続が確立されると、その無線接続がユーザが意図する接続であることの確認をする問い合わせを端末装置３に行い、問い合わせに対する端末装置３の応答に基づいて、端末装置３との無線接続を維持または切断する。
【００９２】
このように、ユーザが操作を行うことなく、接続を意図しない端末装置３が無線通信装置である塗布装置２へ接続したままになるのを自動で防ぐことができる。また、ユーザが接続を意図しない不必要な接続を常に排除することにより、ユーザが接続を意図する必要な接続が拒否されることなく速やかに接続が行われることができる。
【００９３】
上記実施の形態において、専用の塗布アプリケーションが起動しているか否かに応じてユーザが意図した接続であるか否かを判断し、接続を維持あるいは切断していた。これに対して、端末装置３が専用アプリケーションを実行している否かに応じてユーザが意図した接続であるか否かを判断してもよい。専用アプリケーションを実行しているとは、アプリケーションを実行して塗布装置２の機能である塗布機能を実行させるための処理を実際に行っている状態をいい、アプリケーションが起動して実行可能状態となっている場合を除く。塗布装置２からの問い合わせ信号に対して、アプリケーションは、実際に塗布を実行させるための処理を行っている場合に、応答信号を送出する。一方、アプリケーションが塗布を実行させるための処理を行っていない実行可能状態であるとき、塗布装置２からの問い合わせ信号に対して、アプリケーションは、応答信号を送出しない。あるいは、アプリケーションを実行しない旨の応答信号を送出してもよい。応答信号に基づいて、専用アプリケーションを実行している場合、ユーザが意図した接続であると判断し、接続を維持する。一方、専用アプリケーションを実行していない場合、ユーザが意図した接続でないと判断し、接続を切断する。
【００９４】
専用のアプリケーションを起動している場合であっても、実際に専用アプリケーションを使用しておらず、単に専用アプリケーションを終了することをユーザが忘れている場合も想定される。アプリケーションを実行して無線通信装置である塗布装置２の特定の機能である塗布機能を実行させるための処理を実際に行っているか否かに応じてユーザが意図した接続であるか否かを判断することにより、上記の不要な接続を排除することができる。
【００９５】
また、接続が確立されてから、所定期間内に端末装置３と塗布装置２の間で送受信があったか否かによりユーザが意図した接続であるか否かを判断して接続を維持あるいは切断してもよい。この場合、専用のアプリケーションを通じて端末装置３と塗布装置２との間で送受信があったか否かを判断してもよいし、専用アプリケーションを介することなく、端末装置３と塗布装置２が送受信を行ったか否かを判断してもよい。所定期間内に互いに送受信を行っている場合、ユーザが意図した接続が行われていると考えられる。したがって、端末装置３と塗布装置２との間の送受信の有無により接続の維持または切断を行うことにより、ユーザが意図しない接続を排除することができる。なお、所定時間内の送受信の有無であれば、端末装置３に問い合わせをしないでも塗布装置２は把握することができる。塗布装置２が送受信の履歴をメモリに記憶しておくことにより、端末装置３からの応答に基づくことなく接続の維持または切断の判断を行うことができる。
【００９６】
上記実施の形態において、端末装置３としてスマートフォン、タブレットＰＣ等の携帯端末を例として説明したが、通信相手と無線通信をする機能を有する装置であれば、例えば、スキャナ装置、デジタルカメラ等、画像形成する装置は言うに及ばず広く適用可能である。
【００９７】
上記実施の形態において、無線通信装置として塗布装置２を例として説明したが、通信相手と無線通信をする機能を有する電子機器であれば、広く適用可能である。例えば、スキャナ装置、デジタルカメラ等、画像形成する装置は言うに及ばず幅広く適用できる。
【００９８】
上記実施の形態において、塗布装置として装置自体を副走査方向に走査することによりインクを塗布するハンディプリンタを例として説明したが、これに限らず、インクヘッドを移動するヘッド移動機構を有するハンディプリンタや据置型の塗布装置であってもよい。
【００９９】
上記実施の形態において、塗布方式としてインクジェット方式の場合を例に説明したが、これに限らず、レーザプリント方式、熱転写方式、インクリボン方式等であってもよい。
【０１００】
塗布媒体Ｒとして、シート状のものを例示したが、塗布の対象物は任意であり、三次元形状を有するものでもよい。
【０１０１】
上記実施の形態において、塗布装置２の上面に塗布開始スイッチ２１、表示器２２、操作キー２３、ＬＥＤ２４が設けられている場合を例示したが、これらが端末装置３に設けられてもよい。端末装置３の表示部の表面にタッチパネルが一体的に設けられ、タッチパネルへのタッチ操作によって各種入力・設定等の操作を行えるようになっており、表示部が表示器２２として、タッチパネルが塗布開始スイッチ２１および操作キー２３として機能するようにしてもよい。ＬＥＤ２４の代わりに、端末装置３の表示部にメッセージ等を表示することにより、ユーザへの報知を行ってもよい。
【０１０２】
上記実施の形態において、ＬＥＤ２４が、塗布開始位置に到達したこと、塗布が終了したこと等を発光してユーザに報知する場合を例示したが、これに限らず、塗布装置２は撮影装置と照明を含む撮影部を備え、撮影装置を介して表示器２２または端末装置３の表示部に表示された画像により、ユーザが目視で塗布媒体Ｒの表面を確認し位置の微調整等を行えるようにしてもよい。
【０１０３】
上記実施の形態において、中央制御回路３１がＲＯＭ３２に記憶されたプログラムを実行することによって、制御部４１における、無線通信制御部４３、塗布制御部４４として機能した。しかしながら、制御部４１は、中央制御回路３１の代わりに、例えばＡＳＩＣ（Application Specific Integrated Circuit）、ＦＰＧＡ（Field-Programmable Gate Array）、各種制御回路等の専用のハードウェアを備え、専用のハードウェアが、無線通信制御部４３、塗布制御部４４として機能しても良い。この場合、各部の機能それぞれを個別のハードウェアで実現しても良いし、各部の機能をまとめて単一のハードウェアで実現しても良い。また、各部の機能のうち、一部を専用のハードウェアによって実現し、他の一部をソフトウェア又はファームウェアによって実現しても良い。
【０１０４】
なお、本発明に係る機能を実現するための構成を予め備えた無線通信装置として提供できることはもとより、プログラムの適用により、既存の情報処理装置等を、本発明に係る無線通信装置として機能させることもできる。このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネットなどの通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１０５】
本発明の実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【０１０６】
（付記１）
無線接続を要求する端末装置と前記無線接続を確立する接続確立手段と、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断手段と、
前記接続判断に基づいて、前記端末装置との前記無線接続を維持または切断する接続制御手段と、
を備える無線通信装置。
【０１０７】
（付記２）
前記接続判断手段は、前記無線接続が確立されている状態において、前記無線接続が切断されるまで、前記問い合わせを繰り返す、
付記１に記載の無線通信装置。
【０１０８】
（付記３）
特定の機能を実行する機能実行手段を備え、
前記問い合わせは、前記端末装置が、前記機能実行手段に前記特定の機能を実行させるためのアプリケーションプログラムを起動していることを確認する信号である、
付記１または２に記載の無線通信装置。
【０１０９】
（付記４）
特定の機能を実行する機能実行手段を備え、
前記問い合わせは、前記端末装置が、前記機能実行手段に前記特定の機能を実行させるためのアプリケーションプログラムを実行していることを確認する信号である、
付記１または２に記載の無線通信装置。
【０１１０】
（付記５）  
前記接続制御手段は、前記端末装置から前記応答がなければ、前記端末装置との前記無線接続を切断する、
付記１〜４のいずれか１項に記載の無線通信装置。
【０１１１】
（付記６）  
前記接続判断手段は、前記問い合わせを所定回数実行し、前記所定回数内に前記端末装置から応答がなければ前記無線接続がユーザが意図する接続でないと判断し、
前記接続制御手段は、前記端末装置との前記無線接続を切断する、
付記１〜５のいずれか１項に記載の無線通信装置。
【０１１２】
（付記７）
前記接続確立手段は、前記接続制御手段により前記無線接続を切断された前記端末装置の再度の接続要求を所定時間拒否する、
付記１〜６のいずれか１項に記載の無線通信装置。
【０１１３】
（付記８）  
前記無線通信装置は、塗布装置である、
付記１〜７のいずれか１項に記載の無線通信装置。
【０１１４】
（付記９）
互いに無線通信を行う無線通信装置と端末装置を備える無線通信システムであって、
前記無線通信装置は、
無線接続を要求する前記端末装置と前記無線接続を確立する接続確立手段と、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断手段と、
前記接続判断に基づいて、前記端末装置との前記無線接続を維持または切断する接続制御手段と、
を備え、
前記端末装置は、
前記無線通信装置に前記無線接続を要求する接続要求手段と、
前記無線通信装置からの前記問い合わせに対して応答する応答手段と、
を備える無線通信システム。
【０１１５】
（付記１０）
無線接続を要求する端末装置と前記無線接続を確立する接続確立ステップと、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断ステップと、
前記接続判断に基づいて、前記端末装置との前記無線接続を維持または切断する接続制御ステップと、
を備える無線通信方法。
【０１１６】
（付記１１）
コンピュータに、
無線接続を要求する端末装置と前記無線接続を確立する接続確立ステップ、
前記端末装置と前記無線接続が確立されると、前記無線接続が確立された前記端末装置に対して問い合わせを行い、前記問い合わせに対する前記端末装置の応答に基づいて、前記無線接続がユーザが意図する接続であるか否かを判断する接続判断を行う接続判断ステップ、
前記接続判断に基づいて、前記端末装置との前記無線接続を維持または切断する接続制御ステップ、
を実行させるプログラム。
【符号の説明】
【０１１７】
１…無線通信システム、２…塗布装置、３，３Ａ，３Ｂ…端末装置、２１…塗布開始スイッチ、２２…表示器、２３…操作キー、２４…ＬＥＤ、２５…光学センサ、２６…インクヘッド、２７…インクノズル、３１…中央制御回路、３２…ＲＯＭ、３２１…制御プログラム、３３…ＲＡＭ、３３１…塗布データ、３３２…塗布位置情報、３４…インクヘッド制御回路、３５，５１…無線通信モジュール、３６…入出力制御回路、３７…センサ制御回路、３８…電源回路、３９…バッテリ、４１，５２…制御部、４２…塗布部、４３，５３…無線通信制御部、４４…塗布制御部、４５…接続確立部、４６…接続判断部、４７…接続制御部、５４…接続要求部、５５…応答部、Ｒ…塗布媒体
【図１】
2020178323.tif 000003
【図２】
2020178323.tif 000004
【図３】
2020178323.tif 000005
【図４】
2020178323.tif 000006
【図５】
2020178323.tif 000007
【図６】
2020178323.tif 000008
【図７】
2020178323.tif 000009
【図８】
2020178323.tif 000010
【図９】
2020178323.tif 000011
【図１０】
2020178323.tif 000012
【図１１】
2020178323.tif 000013